(57)【要約】      （修正有）【課題】ペーパーフィルタがコーヒー抽出装置に過度に密着して、コーヒーの抽出効率に影響を及ぼすのを防止できるコーヒー抽出装置を提供する。【解決手段】コーヒー抽出装置は、台座と、少なくとも１つの側壁１３と、２つまたは２つ以上の突出ユニット１５と、少なくとも１つの貫通孔１７と、を含む。側壁は台座の第１表面に設けられ、側壁と台座との間に収容空間１２が形成され、台座の第１表面に底部領域１２１が形成される。突出ユニットは、側壁の一部と底部領域の一部との間に設けられ、貫通孔は底部領域内に設けられ、台座を貫通する。【選択図】図１
0003207505.tif 000002
【実用新案登録請求の範囲】
【請求項１】
第１表面および第２表面を含む台座と、
該台座の該第１表面に設けられる少なくとも１つの側壁であって、該側壁と該台座との間に収容空間が形成され、該側壁により該台座の第１表面に底部領域が形成され、該台座と接続しない該側壁の一端が開口を形成する少なくとも１つの側壁と、
該側壁の一部と該底部領域の一部との間に設けられる２つまたは２つ以上の突出ユニットと、
該底部領域内に設けられ、該台座を貫通する少なくとも１つの貫通孔と、
を含む、コーヒー抽出装置。
【請求項２】
該底部領域が楕円形、長楕円形、長方形、または細長状である、請求項１に記載のコーヒー抽出装置。
【請求項３】
該底部領域が第１端および第２端を含み、該突出ユニットの数量が２つであり、該底部領域の該第１端および該第２端にそれぞれ設けられる、請求項２に記載のコーヒー抽出装置。
【請求項４】
該側壁に設けられる複数のリブをさらに含み、該リブが該収容空間内に位置する、請求項１に記載のコーヒー抽出装置。
【請求項５】
該複数のリブと該突出ユニットとの間に隙間が存在する、請求項４に記載のコーヒー抽出装置。
【請求項６】
該底部領域が長方形または細長状であり、２つの長辺および２つの短辺を含み、該２つの突出ユニットが該底部領域の２つの短辺にそれぞれ設けられる、請求項１に記載のコーヒー抽出装置。
【請求項７】
該底部領域に設けられる２つの突出部をさらに含み、それぞれ該貫通孔と該２つの突出ユニットとの間に位置する、請求項１に記載のコーヒー抽出装置。
【請求項８】
該開口が円形であり、該底部領域が非円形である、請求項１に記載のコーヒー抽出装置。
【請求項９】
該収容空間が第１収容空間および第２収容空間を含み、該第１収容空間が該第２収容空間と接続し、該第１収容空間が該底部領域と接続し、該第２収容空間が該開口と接続する、請求項１に記載のコーヒー抽出装置。
【請求項１０】
該突出ユニットが第１表面および第２表面を含み、該第１表面が該側壁と接続し、該第２表面が該底部領域と接続し、該第１表面と該底部領域との間の収容空間が該第１収容空間であり、該第１表面と該開口との間の収容空間が該第２収容空間である、請求項９に記載のコーヒー抽出装置。
【請求項１１】
該第１収容空間および該第２収容空間の断面が台形であり、該第１収容空間が該第２収容空間より小さい、請求項１０に記載のコーヒー抽出装置。
【考案の詳細な説明】
【技術分野】
【０００１】
本考案はコーヒー抽出装置に関し、特にコーヒードリッパーを指す。主に側壁の一部と底部領域の一部との間に、ペーパーフィルタの底部を支持する２つまたは２つ以上の突出ユニットを設け、これによりペーパーフィルタがコーヒー抽出装置に過度に密着するのを防止する。
【背景技術】
【０００２】
コーヒーは現代社会において最も広く飲まれている飲料の１つであり、全世界で先物取引額が２番目に高い製品でもある。一般的に、コーヒーの抽出方式が異なると、各種異なる抽出道具が必要であり、例えばフレンチプレス（Ｆｒｅｎｃｈ  ｐｒｅｓｓ）、モカポット、サイフォン式コーヒーポット（サイフォンポット）、エスプレッソマシーンまたはドリップ式コーヒー器などである。各種異なる抽出道具で抽出したコーヒーは、通常異なる味および特徴を有するため、使用者は個人の好みに応じて、対応するコーヒー抽出道具を選択することができる。
【０００３】
ドリップ式コーヒー器を例とすると、必要な器具はドリッパーおよびペーパーフィルタのみである。コーヒーの抽出過程において、使用者はペーパーフィルタをドリッパー内に置き、適当に挽いたコーヒー豆をペーパーフィルタ内に入れ、そして適当な温度の湯を挽いたコーヒー豆に注ぐだけで、気軽にコーヒーを抽出することができる。コーヒーの抽出が終了した後、使用者はドリッパー内のペーパーフィルタおよび挽いたコーヒー豆を取り出すだけで、気軽に片づけを終了することができる。ドリップ式コーヒー器は使用が比較的便利であり、価格が安く、清潔で都合がよいため、広く使用されるコーヒー抽出道具となっている。
【０００４】
ドリップ式コーヒー器は上記の利点を有するが、ドリップ式コーヒー器を使用してコーヒーを抽出するとき、通常、比較的高い技術的なコツを必要とし、そうでなければ品質が優れたコーヒーを抽出することができない。具体的に述べると、使用者が湯をペーパーフィルタ内に注ぐとき、ペーパーフィルタ内の挽いたコーヒー豆および湯が重力の作用を受けることにより、ペーパーフィルタがドリッパーの内壁に密着する。このようにして、ペーパーフィルタ内のコーヒーは、所定の時間内にペーパーフィルタを通過することができず、挽いたコーヒー豆が湯に浸漬される時間が過度に長くなり、さらには過度に抽出される状況が生じる。
【考案の概要】
【考案が解決しようとする課題】
【０００５】
本考案の目的は、主に台座の１つの表面に、少なくとも１つの側壁を設け、これにより収容空間および底部領域が形成されるコーヒー抽出装置を提供することである。この他、底部領域の一部と収容空間底部の一部との間に、少なくとも１つの突出ユニットを設け、突出ユニットは収容空間内に入れるペーパーフィルタを支持することができ、これによりペーパーフィルタおよびコーヒー抽出装置の底部領域に隙間の空間が形成される。これによって、ペーパーフィルタがコーヒー抽出装置に過度に密着して、ペーパーフィルタ内のコーヒーが流出する効率に影響を及ぼすのを防止することができる。
【０００６】
本考案のもう１つの目的は、主に台座の１つの表面に、少なくとも１つの側壁を設け、これにより収容空間および底部領域が形成されるコーヒー抽出装置を提供することである。底部領域の一部と収容空間底部の一部との間に、少なくとも１つの突出ユニットを設け、側壁に複数のリブを設ける。リブと突出ユニットとの間に隙間が存在し、ペーパーフィルタがコーヒー抽出装置に過度に密着するのをさらに防止することができる。
【課題を解決するための手段】
【０００７】
上記目的を達成するため、本考案は、第１表面および第２表面を含む台座と；台座の第１表面に設けられる少なくとも１つの側壁であって、側壁と台座との間に収容空間が形成され、側壁により台座の第１表面に底部領域が形成され、台座に接続しない側壁の一端が開口を形成する少なくとも１つの側壁と；側壁の一部と底部領域の一部との間に設けられる２つまたは２つ以上の突出ユニットと；底部領域内に設けられ、台座を貫通する少なくとも１つの貫通孔と、を含むコーヒー抽出装置を提供する。
【０００８】
本考案のコーヒー抽出装置の一実施例において、底部領域は楕円形、長楕円形、長方形または細長状である。
【０００９】
本考案のコーヒー抽出装置の一実施例において、底部領域は第１端および第２端を含む。突出ユニットの数量は２つであり、底部領域の第１端および第２端にそれぞれ設けられる。
【００１０】
本考案のコーヒー抽出装置の一実施例において、側壁に設けられる複数のリブをさらに含み、リブは収容空間内に位置する。
【００１１】
本考案のコーヒー抽出装置の一実施例において、複数のリブと突出ユニットとの間に隙間が存在する。
【００１２】
本考案のコーヒー抽出装置の一実施例において、底部領域は長方形または細長状であり、２つの長辺および２つの短辺を含む。２つの突出ユニットは、底部領域の２つの短辺にそれぞれ設けられる。
【００１３】
本考案のコーヒー抽出装置の一実施例において、底部領域に設けられる２つの突出部をさらに含み、それぞれ貫通孔と２つの突出ユニットとの間に位置する。
【００１４】
本考案のコーヒー抽出装置の一実施例において、開口は円形であり、底部領域は非円形である。
【００１５】
本考案のコーヒー抽出装置の一実施例において、収容空間は第１収容空間および第２収容空間を含む。第１収容空間は第２収容空間と接続し、第１収容空間は底部領域と接続し、第２収容空間は開口と接続する。
【００１６】
本考案のコーヒー抽出装置の一実施例において、突出ユニットは第１表面および第２表面を含み、第１表面は側壁と接続し、第２表面は底部領域と接続する。第１表面と底部領域との間の収容空間は第１収容空間であり、第１表面と開口との間の収容空間は第２収容空間である。
【００１７】
本考案のコーヒー抽出装置の一実施例において、第１収容空間および第２収容空間の断面は台形であり、第１収容空間は第２収容空間より小さい。
【図面の簡単な説明】
【００１８】
【図１】図１は、本考案の前記コーヒー抽出装置の一実施例における俯瞰図である。
【図２】図２は、本考案の前記コーヒー抽出装置の一実施例における第１方向の断面概要図である。
【図３】図３は、本考案の前記コーヒー抽出装置の一実施例における第２方向の断面概要図である。
【図４】図４は、本考案の前記コーヒー抽出装置の別の実施例における俯瞰図である。
【図５】図５は、本考案の前記コーヒー抽出装置の別の実施例における第１方向の断面概要図である。
【図６】図６は、本考案の前記コーヒー抽出装置の一実施例における第１方向の使用状態の概要図である。
【図７】図７は、本考案の前記コーヒー抽出装置の別の実施例における第１方向の使用状態の概要図である。
【図８】図８は、本考案の前記コーヒー抽出装置の一実施例における使用状態の俯瞰図である。
【００１９】
例を挙げて図中に本考案の具体的実施方式を記載し、本文中に詳細な説明を行ったが、本考案は各種の修正および形式の置換を行うことも認めている。本考案の図の内容は同じ比率でなくてよく、図およびその詳細な記載は特定形式の開示に過ぎず、本考案を制限しない。反対に、本考案の特許範囲の主旨および範囲内で行う修正、均等な部材およびその置換は、いずれも本考案の範囲に包含される。
【考案を実施するための形態】
【００２０】
図１から図３を参照されたい。図１から図３はそれぞれ、本考案のコーヒー抽出装置の一実施例における俯瞰図、本考案の前記コーヒー抽出装置の一実施例における第１方向の断面概要図、および本考案の前記コーヒー抽出装置の一実施例における第２方向の断面概要図である。図に示すように、本考案の前記コーヒー抽出装置１０は、台座１１と、少なくとも１つの側壁１３と、２つまたは２つ以上の突出ユニット１５と、少なくとも１つの貫通孔１７と、を含み、コーヒー抽出装置１０はコーヒードリッパー（ｃｏｆｆｅｅ  ｄｒｉｐｐｅｒ）でよい。本考案の一実施例において、コーヒー抽出装置１０は陶磁器、シリコーン、プラスチック、ガラスまたは金属で製造することができる。
【００２１】
台座１１は板状の構造でよく、例えば円形の板状構造であり、第１表面１１１および第２表面１１３を含む。第１表面１１１および第２表面１１３は対応し、例えば第１表面１１１は上表面、第２表面１１３は下表面である。側壁１３は台座１１の第１表面１１１に設けられ、台座１１との間に開放的な収容空間１２が形成される。具体的に述べると、側壁１３の一端が台座１１と接続して、台座１１の第１表面１１１に底部領域１２１が形成され、底部領域１２１は収容空間１２の底部でよい。この他、側壁１３のもう一端は台座１１と接続されず、開口１２３が形成される。
【００２２】
本考案の一実施例において、図２に示すように、第１方向Ｘに沿ったコーヒー抽出装置１０の収容空間１２の断面は台形に近く、図３に示すように、第２方向Ｙに沿ったコーヒー抽出装置１０の収容空間１２の断面は錐形に近い。一般的に、本考案の実施例の前記コーヒー抽出装置１０は、通常、扇形ドリッパーまたは台形ドリッパーと呼ばれる。
【００２３】
貫通孔１７は台座１１の底部領域１２１に位置し、台座１１の第１表面１１１および第２表面１１３を貫通する。例えば貫通孔１７の数量は１つでよく、底部領域１２１の中央位置または対称心に設けられる。異なる実施例において、貫通孔１７の数量は複数個でもよく、底部領域１２１に平均的に分布する。
【００２４】
本考案の一実施例において、コーヒー抽出装置１０は、側壁１３の一部と台座１１の底部領域１２１の一部との間に設けられ、側壁１３および底部領域１２１から突出する２つの突出ユニット１５を含むことができる。底部領域１２１の外観は、楕円形、長楕円形または長方形などの細長状でよく、第１端１２１１および第２端１２１３を含む。図１および図４に示すように、第１方向Ｘは底部領域１２１の長軸または長辺の方向と平行であり、第２方向Ｙは第１方向Ｘに垂直である。
【００２５】
２つの突出ユニット１５は、底部領域１２１の第１端１２１１および第２端１２１３にそれぞれ設けられる。１つの突出ユニット１５は底部領域１２１の第１端１２１１に設けられ、底部領域１２１の一部および側壁１３の一部と接続し、もう１つの突出ユニット１５は底部領域１２１の第２端１２１３に設けられ、底部領域１２１の一部および側壁１３の一部と接続する。例えば、突出ユニット１５は第１端１２１１および第２端１２１３に近い底部領域１２１と側壁１３１に設けられる。
【００２６】
図１に示すように、底部領域１２１が楕円形または長楕円形であるとき、第１端１２１１および第２端１２１３は楕円形の長軸および円周が接する付近の領域でよい。図４に示すように、底部領域１２１が長方形または細長状であるとき、底部領域１２１は２つの長辺１２１４および２つの短辺１２１２を含むことができ、２つの突出ユニット１５は底部領域１２１の２つの短辺１２１２にそれぞれ設けられ、２つの短辺１２１２に近い底部領域１２１の一部および側壁１３の一部と接続する。
【００２７】
本考案の一実施例において、側壁１３は２つの第１側壁１３２および２つの第２側壁１３４と定義されることができ、２つの第１側壁１３２は、底部領域１２１の第１端１２１１および第２端１２１３と接続する側壁１３でよい。１つの突出ユニット１５は底部領域１２１の第１端１２１１に設けられ、第１端１２１１に近い底部領域１２１の一部、第１側壁１３２の一部および第２側壁１３４の一部と接続し、もう１つの突出ユニット１５は底部領域１２１の第２端１２１３に設けられ、第２端１２１３に近い底部領域１２１の一部、第１側壁１３２の一部および第２側壁１３４の一部と接続する。例えば、底部領域１２１が長方形または細長状であるとき、底部領域１２１の短辺１２１２と接続する側壁１３は、第１側壁１３２と定義することができ、底部領域１２１の長辺１２１４と接続する側壁は、第２側壁１３４と定義されることができる。
【００２８】
本考案の一実施例において、突出ユニット１５は第１表面１５１および第２表面１５３を含むことができる。第１表面１５１はコーヒー抽出装置１０の側壁１３と接続し、第２表面１５３はコーヒー抽出装置１０の底部領域１２１と接続し、第１表面１５１と第２表面１５３との間に夾角１５５を有する。
【００２９】
本考案のもう１つの実施例において、コーヒー抽出装置１０は複数のリブ１３１を含むこともできる。リブ１３１は側壁１３に設けられ、リブ１３１は側壁１３と台座１１との間の収容空間１２内に位置する。例えば、リブ１３１は側壁１３の表面から突出する直線または弧状線の棒状構造でよく、収容空間１２の方向に向かって突出する。本考案の前記コーヒー抽出装置１０について、リブ１３１は本考案に必要な構造ではなく、異なる実施例では、側壁１３にリブ１３１を設けなくてもよいため、リブ１３１は本考案の特許範囲を制限しない。
【００３０】
本考案の一実施例において、図２に示す通り、コーヒー抽出装置１０が複数のリブ１３１を含む場合、側壁１３の表面に設けられるリブ１３１と突出ユニット１５との間に、隙間１４が存在してよい。具体的に述べると、リブ１３１の一端は底部領域１２１に向き、もう一端は開口１２３に向き、底部領域１２１に向いたリブ１３１の一端と突出ユニット１５との間に隙間１４を有する。本考案のもう１つの実施例において、開口１２３に向いた一端のリブ１３１と開口１２３との間にも、もう１つの隙間が存在してよい。
【００３１】
本考案の一実施例において、台座１１の第２表面１１３に第１環状突出部１６を含むこともできる。第１環状突出部１６は貫通孔１７を中心として、貫通孔１７の周囲に環状に設けられ、また台座１１の第２表面１１３から突出し、貫通孔１７との間に一定の間隔が保持される。第１環状突出部１６を設けることにより、コーヒー抽出装置１０をカップまたはポットの開口と位置合わせするのに役立ち、これによりコーヒー抽出装置１０の貫通孔１７がカップまたはポットの開口内に対応することを確実に保証する。
【００３２】
この他、台座１１の第２表面１１３における貫通孔１７の周囲にも、第２環状突出部１７１を設けることができる。第２環状突出部１７１は貫通孔１７に密接しており、台座１１の第２表面１１３から突出する。第２環状突出部１７１を設けることにより、コーヒーなどの貫通孔１７から流出する液体を誘導することができる。
【００３３】
コーヒー抽出装置１０は、コーヒー抽出装置１０の側壁１３の外表面に設けられる持ち手１８を含むこともでき、例えば収容空間１２側でない側壁１３の表面に設けられる。第１環状突出部１６、第２環状突出部１７１および持ち手１８は、いずれも本考案の前記コーヒー抽出装置１０に必要な部材ではなく、本考案の特許範囲を制限しない。言い換えると、実際に応用するとき、コーヒー抽出装置１０に、第１環状突出部１６、第２環状突出部１７１および／または持ち手１８を設けなくてもよい。
【００３４】
本考案のもう１つの実施例において、コーヒー抽出装置１０は、コーヒー抽出装置１０の底部領域１２１に設けられる、少なくとも１つの突出部１２５を含むこともできる。本考案の一実施例において、突出部１２５の数量は２つまたは２つ以上でよい。例えば図５に示すように、突出部１２５は２つの半球状または錐状の突起物でよく、それぞれ貫通孔１７と２つの突出ユニット１５との間の底部領域１２１に位置する。突出部１２５は同様にペーパーフィルタ２０を支持することができ、例えばペーパーフィルタ２０の底部２１を支持する。
【００３５】
図６および図７を参照されたい。図６および図７は、本考案の前記コーヒー抽出装置の一実施例における第１方向の使用状態の概要図である。図に示すように、本考案の前記コーヒー抽出装置１０を使用するとき、ペーパーフィルタ２０をコーヒー抽出装置１０の収容空間１２内に置く。具体的に述べると、本考案のコーヒー抽出装置１０は一般的な台形のペーパーフィルタまたは扇形のペーパーフィルタに適しており、使用者はまずペーパーフィルタ２０を少し折り畳んだ後、コーヒー抽出装置１０の収容空間１２の内部に置くことができる。
【００３６】
コーヒー抽出装置１０内の収容空間１２は、第１収容空間１２２および第２収容空間１２４を含むことができる。第１収容空間１２２はコーヒー抽出装置１０の底部領域１２１と接続し、第２収容空間１２４はコーヒー抽出装置１０の開口１２３と接続し、第１収容空間１２２は第２収容空間１２４と接続する。具体的に述べると、図２に示すように、突出ユニット１５が第１表面１５１および第２表面１５３を含む場合、第１表面１５１はコーヒー抽出装置１０の側壁１３と接続し、第２表面１５３はコーヒー抽出装置１０の底部領域１２１と接続する。第１表面１５１と底部領域１２１との間の収容空間１２を第１収容空間１２２と定義し、第１表面１５１と開口１２３との間の収容空間１２を第２収容空間１２４と定義することができる。
【００３７】
第１収容空間１２２および第２収容空間１２４の第１方向Ｘに沿った断面は台形に近く、第１収容空間１２２は第２収容空間１２４より小さい。例えば第１収容空間１２２の第１方向Ｘにおける断面の面積は、第２収容空間１２４より小さい。
【００３８】
本考案の一実施例において、図６に示すように、ペーパーフィルタ２０の底部２１の長さＬ１は、２つの突出ユニット１５の間の距離Ｌ２より大きい。ペーパーフィルタ２０をコーヒー抽出装置１０の収容空間１２内に入れるとき、２つの突出ユニット１５はペーパーフィルタ２０の底部２１の両端をそれぞれ支持し、これによりペーパーフィルタ２０の底部２１と底部領域１２１との間に隙間の空間１２６が存在する。隙間の空間１２６は第１収容空間１２２のすべてまたは一部でよく、図７に示す通りである。
【００３９】
ペーパーフィルタ２０をコーヒー抽出装置１０の収容空間１２に置いた後、挽いたコーヒー豆をペーパーフィルタ２０内に入れ、その後適当な温度の水をペーパーフィルタ２０内に注ぎ入れると、水および挽いたコーヒー豆が充分に混合される。ペーパーフィルタ２０内の水および挽いたコーヒー豆が重力の作用を受けて、ペーパーフィルタ２０に下側に向かう力を加える。本考案の前記コーヒー抽出装置１０は、２つまたは２つ以上の突出ユニット１５を含み、突出ユニット１５はペーパーフィルタ２０の一部に接触し、支持することができ、例えば２つの突出ユニット１５はペーパーフィルタ２０の底部２１の両端にそれぞれ接触し、支持する。ペーパーフィルタ２０の底部２１は挽いたコーヒー豆、水および突出ユニット１５の作用を受け、これによりペーパーフィルタ２０の底部２１の中央位置がほぼ下向きに突出する。例えばペーパーフィルタ２０の底部２１は、中央位置が下向きに突出した弧状構造を形成する。
【００４０】
上記の内容から、本考案は主に、コーヒー抽出装置１０の側壁１３の一部と、底部領域１２１の一部との間に、ペーパーフィルタ２０の底部２１の一部、例えば底部２１の両側を支持する突出ユニット１５を設けることがわかる。コーヒー抽出装置１０およびペーパーフィルタ２０を使用してコーヒーを抽出するとき、ペーパーフィルタ２０の底部２１が中心に向かって下向きに突出するだけでなく、ペーパーフィルタ２０の底部２１とコーヒー抽出装置１０の底部領域１２１との間に、隙間の空間１２６が存在する。これによりペーパーフィルタ２０内のコーヒーを誘導するのに有利であり、ペーパーフィルタ２０がコーヒー抽出装置１０の底部領域１２１に緊密に貼り付き、挽いたコーヒー豆および水がペーパーフィルタ２０内に詰まり、さらにはコーヒーが過度に抽出される状況が生じるのを防止することができる。
【００４１】
本考案の一実施例において、図８に示すように、コーヒー抽出装置１０の底部領域１２１は、楕円形または長楕円形でよく、ペーパーフィルタ２０の底部２１は直線または細長状である。本考案の前記コーヒー抽出装置１０の底部領域１２１の面積は、ペーパーフィルタ２０の底部２１の面積より大きく、さらに突出ユニット１５はペーパーフィルタ２０の底部２１の一部を支持することができる。これによりペーパーフィルタ２０の底部２１と、コーヒー抽出装置１０の底部領域１２１との間に、より大きな隙間の空間１２６が存在する。
【００４２】
本考案の一実施例において、コーヒー抽出装置１０の開口１２３は円形に近く、コーヒー抽出装置１０の底部領域１２１は非円形である。底部領域１２１が楕円形または長楕円形であるとき、ペーパーフィルタ２０の底部２１と、コーヒー抽出装置１０の底部領域１２１とは、第１方向Ｘおよび／または第２方向Ｙに隙間の空間１２６を有することができる。これによりペーパーフィルタ２０がコーヒー抽出装置１０の底部領域１２１に密着するのを防止し、挽いたコーヒー豆および水がペーパーフィルタ２０内に詰まる状況の発生が低下する。
【００４３】
明細書に記載した、かもしれない、しなければならない、変化などの語句は、本考案を制限しない。明細書で使用する専門用語は、主に特定の実施例について記載しており、本考案を制限しない。明細書で使用する単数の助数詞（例えば１個および該）は複数でもよく、そうでなければ明細書の内容を明確に説明していない。例えば、明細書で言及する１つの装置は、２つまたは２つ以上の装置の組合せを含むことができ、明細書で言及する物質は、複数の物質を混合したものを含むことができる。
【００４４】
以上の記載は本考案の好ましい実施例に過ぎず、本考案の実施範囲を限定しない。本考案の実用新案登録請求の範囲に記載の形状、構造、特徴、および主旨に基づいて行う均等な変化および修正は、いずれも本考案の実用新案登録請求の範囲内に含まれるべきである。
【符号の説明】
【００４５】
１０  コーヒー抽出装置
１１  台座
１１１  第１表面
１１３  第２表面
１２  収容空間
１２１  底部領域
１２１１  第１端
１２１２  短辺
１２１３  第２端
１２１４  長辺
１２２  第１収容空間
１２３  開口
１２４  第２収容空間
１２５  突出部
１２６  隙間の空間
１３  側壁
１３１  リブ
１３２  第１側壁
１３４  第２側壁
１４  隙間
１５  突出ユニット
１５１  第１表面
１５３  第２表面
１５５  夾角
１６  第１環状突出部
１７  貫通孔
１７１  第２環状突出部
１８  持ち手
２０  ペーパーフィルタ
２１  底部
【図１】
0003207505.tif 000003
【図２】
0003207505.tif 000004
【図３】
0003207505.tif 000005
【図４】
0003207505.tif 000006
【図５】
0003207505.tif 000007
【図６】
0003207505.tif 000008
【図７】
0003207505.tif 000009
【図８】
0003207505.tif 000010